(57)【要約】【課題】立てかけた紙が折れ曲がれ難くするペーパースタンドを提供する。【解決手段】ペーパースタンド(100)は、ペーパースタンド本体(110)と、ペーパースタンド本体に取り付けられ、上方に延びている第一支持体(121)及び第二支持体(122)と、押圧部材(130)と、からなる。第一支持体及び第二支持体は同じ向きに湾曲している湾曲面を有しており、それらの湾曲面は等間隔に並ぶように隔置されている。押圧部材は第二支持体に取り付けられ、第一支持体を押圧する。【選択図】図１
0003157495.tif 000002
【実用新案登録請求の範囲】
【請求項１】
上面が水平面であるペーパースタンド本体と、
前記ペーパースタンド本体の前記上面に取り付けられ、上方に延びている第一支持体と、
前記ペーパースタンド本体の前記上面に取り付けられ、上方に延びている第二支持体と、
押圧部材と、
からなるペーパースタンドであって、
前記第一支持体は湾曲面を有しており、
前記第二支持体は前記第一支持体の前記湾曲面と同じ向きに湾曲している湾曲面を有しており、
前記第一支持体及び前記第二支持体はそれらの前記湾曲面が等間隔に並ぶように隔置されており、
前記押圧部材は、前記第一支持体及び前記第二支持体の間に配置され、前記第一支持体及び前記第二支持体の何れか一方に取り付けられ、前記第一支持体及び前記第二支持体の他方を押圧するものであるペーパースタンド。
【請求項２】
前記第一支持体及び前記第二支持体の何れか一方は前記第一支持体及び前記第二支持体の他方よりも大きな高さを有していることを特徴とする請求項１に記載のペーパースタンド。
【請求項３】
前記ペーパースタンド本体の外壁に取り付けられた磁石をさらに備えることを特徴とする請求項１または２に記載のペーパースタンド。
【請求項４】
前記磁石は前記ペーパースタンド本体の側壁に取り付けられており、
前記ペーパースタンド本体の中心に関して前記側壁の反対側の壁部には磁性体からなるプレートが取り付けられていることを特徴とする請求項３に記載のペーパースタンド。
【考案の詳細な説明】
【技術分野】
【０００１】
本考案は、紙その他のシート状物質を立てた状態を維持するためのペーパースタンドに関する。
【背景技術】
【０００２】
この種のペーパースタンドとしては実用新案登録第３０７９５９３号公報に記載されたものがある。
【０００３】
図４は同公報に記載されたペーパースタンド１０００の斜視図である。
【０００４】
図４に示す従来のペーパースタンド１０００は、スタンド本体１１００と、押圧部材１２００と、から構成されている。
【０００５】
スタンド本体１１００は直方体形状の金属製ブロックからなり、スタンド本体１１００にはその上面から下方に向かって切り込み１１１０が形成されている。このように切り込み１１１０が形成された結果、スタンド本体１１００には対向する二つの面１１２０ａ、１１２０ｂが形成されている。面１１２０ａはスタンド本体１１００の外側に向かって凸となる円弧状に形成され、面１１２０ｂは平面である。
【０００６】
押圧部材１２００は円弧状に湾曲させたコイルスプリングからなり、円弧状の面１１２０ａに対して押圧力を作用させる。
【０００７】
図４に示すように、紙１３００は押圧部材１２００と円弧状の面１１２０ａに挟まれた状態で保持される。この状態においては、紙１３００は押圧部材１２００から押圧力を受けるため、面１１２０ａに押し付けられた状態にある。
【考案の開示】
【考案が解決しようとする課題】
【０００８】
しかしながら、図４に示した従来のペーパースタンド１０００には、紙１３００が容易に折れ曲がってしまうという問題点があった。
【０００９】
図４に示すように、押圧部材１２００が紙１３００に接触する接触点は紙１３００の下部である。このため、紙１３００の下縁から接触点までの長さは接触点から紙１３００の上縁までの長さよりも短い。このため、紙１３００は多少の風圧または振動によっても押圧部材１２００の側に折れ曲がってしまう傾向があった。
【００１０】
紙１３００が折れ曲がってしまうと、紙１３００の表面（具体的には、紙１３００の表面に書かれている文字・図形）がユーザーに見えなくなるため、ペーパースタンド１０００としての用をなさなくなる。
【００１１】
本考案はこのような従来のペーパースタンド１０００における問題点に鑑みてなされたものであり、立てかけた紙が折れ曲がれ難くすることを可能にするペーパースタンドを提供することを目的とする。
【課題を解決するための手段】
【００１２】
以下に、「考案の実施の形態」において使用される参照符号を用いて、上述の課題を解決するための手段を説明する。これらの参照符号は、「実用新案登録請求の範囲」の記載と「考案の実施の形態」の記載との間の対応関係を明らかにするためにのみ付加されたものであり、「実用新案登録請求の範囲」に記載されている考案の技術的範囲の解釈に用いるべきものではない。
【００１３】
上記の目的を達成するため、本考案は、上面（１１１）が水平面であるペーパースタンド本体（１１０）と、前記ペーパースタンド本体（１１０）の前記上面（１１１）に取り付けられ、上方に延びている第一支持体（１２１）と、前記ペーパースタンド本体（１１０）の前記上面（１１１）に取り付けられ、上方に延びている第二支持体（１２２）と、押圧部材（１３０）と、からなるペーパースタンド（１００）であって、前記第一支持体（１２１）は湾曲面を有しており、前記第二支持体（１２２）は前記第一支持体（１２１）の前記湾曲面と同じ向きに湾曲している湾曲面を有しており、前記第一支持体（１２１）及び前記第二支持体（１２２）はそれらの前記湾曲面が等間隔に並ぶように隔置されており、前記押圧部材（１３０）は、前記第一支持体（１２１）及び前記第二支持体（１２２）の間に配置され、前記第一支持体（１２１）及び前記第二支持体（１２２）の何れか一方に取り付けられ、前記第一支持体（１２１）及び前記第二支持体（１２２）の他方を押圧するものであるペーパースタンド（１００）を提供する。
【００１４】
前記第一支持体（１２１）及び前記第二支持体（１２２）の何れか一方は前記第一支持体（１２１）及び前記第二支持体（１２２）の他方よりも大きな高さを有していることが好ましい。
【００１５】
前記ペーパースタンド本体（１１０）の外壁に取り付けられた磁石（２１０）をさらに備えることが好ましい。
【００１６】
この場合、前記ペーパースタンド本体（１１０）の中心に関して、前記磁石（２１０）が取り付けられた側壁の反対側の壁部には磁性体からなるプレート（２２０）が取り付けられていることが好ましい。
【考案の効果】
【００１７】
本考案に係るペーパースタンドにおいては、押圧部材の弾性力により、押圧部材と第一支持体（または、第二支持体）の凹面との間に紙が挟み込まれる。押圧部材と第一支持体の凹面との間に挟み込まれた紙は第一支持体の凹面に沿って円弧状に湾曲するため、かつ、一方の側を第一支持体により、他方の側を第二支持体により囲まれているため、どちらの側にも折れ曲がりにくい。このため、紙が折れ曲がることにより、紙の表面の文字・図形が見えなくなることを防止することができる。
【００１８】
また、第一支持体と第二支持体との間にはスペースが設けられているため、比較的厚手の紙（例えば、折り畳んだ新聞紙）を挟み込むことも可能である。
【００１９】
さらに、ペーパースタンド本体の外壁に磁石を取り付けることにより、本考案に係るペーパースタンドを他の場所（例えば、金属製の掲示用ボード、壁、ロッカーや本棚の側壁など）に磁着させることができ、本考案に係るペーパースタンドの利便性を向上させることができる。
【００２０】
さらに、磁石の反対側に磁性体プレート（例えば、金属板）を取り付けることにより、複数個のペーパースタンドをつなげた状態で使用することが可能になる。
【図面の簡単な説明】
【００２１】
【図１】本考案の第一の実施形態に係るペーパースタンドの斜視図である。
【図２】本考案の第一の実施形態に係るペーパースタンドにおける押圧部材の斜視図である。
【図３】本考案の第二の実施形態に係るペーパースタンドの斜視図である。
【図４】従来のペーパースタンドの斜視図である。
【考案を実施するための最良の形態】
【００２２】
（第一の実施形態）
図１は本考案の第一の実施形態に係るペーパースタンド１００の斜視図である。
【００２３】
図１に示すように、本実施形態に係るペーパースタンド１００は、ペーパースタンド本体１１０と、第一支持体１２１と、第二支持体１２２と、押圧部材１３０と、から構成されている。
【００２４】
ペーパースタンド本体１１０は立方体形状のブロックからなる。ペーパースタンド本体１１０は重しとしての機能を奏する必要があるため、例えば、金属または合成樹脂でつくられている。
【００２５】
ペーパースタンド本体１１０は水平面からなる上面１１１を有している。
【００２６】
第一支持体１２１はペーパースタンド本体１１０の上面１１１に固定して取り付けられている。第一支持体１２１は湾曲面を有している。すなわち、第一支持体１２１は横断面が円弧状の形状をなしており、ペーパースタンド本体１１０の上面１１１から上方に延びる高さを有している。
【００２７】
第二支持体１２２はペーパースタンド本体１１０の上面１１１に固定して取り付けられている。第一支持体１２１と同様に、第二支持体１２２も湾曲面を有している。すなわち、第二支持体１２２は横断面が円弧状の形状をなしており、ペーパースタンド本体１１０の上面１１１から上方に延びる高さを有している。
【００２８】
第二支持体１２２は第一支持体１２１から隔置されて配置されており、双方の湾曲面が同じ向きを向くようにされている。
【００２９】
さらに、第二支持体１２２の湾曲面は第一支持体１２１の湾曲面と等間隔になるように配置されている。すなわち、第一支持体１２１の湾曲面と第二支持体１２２の湾曲面とは同心円の関係になるように配置されている。
【００３０】
第二支持体１２２は第一支持体１２１よりも高く形成されている。
【００３１】
なお、ユーザーの側から見て、例えば、第一支持体１２１が前方に、第二支持体１２２が後方に配置される。
【００３２】
第一支持体１２１及び第二支持体１２２はプラスチック製である。
【００３３】
押圧部材１３０は第二支持体１２２の凸面側に取り付けられている。すなわち、押圧部材１３０は第一支持体１２１の凹面側と第二支持体１２２の凸面側との間に配置されている。
【００３４】
図２は押圧部材１３０の斜視図である。
【００３５】
押圧部材１３０は、一対の取り付け用ブロック１２３を介して第二支持体１２２の凸面に取り付けられている平板状の第一部分１３１と、第一部分１３１の上端から第一支持体１２１に向かって延びる平板状の第二部分１３２と、第二部分１３２の先端から下方に延び、「Ｌ」字型に近い形状をなしている第三部分１３３と、からなる。
【００３６】
第三部分１３３は第一支持体１２１に向かって凸となるように湾曲点１３３ａにおいて湾曲しており、湾曲点１３３ａが第一支持体１２１に最も近接して位置している。
【００３７】
押圧部材１３０はバネ鋼でつくられている。このため、押圧部材１３０を第三部分１３３の湾曲点１３３ａにおいて第二支持体１２２に向かって押すと、その反発力として、第二支持体１２２から第一支持体１２１に向かう力を発生させる。
【００３８】
以上のような構造を有する本実施形態に係るペーパースタンド１００は以下のような機能を有している。
【００３９】
紙その他のシート状物質（図示せず）を第一支持体１２１と第二支持体１２２との間に挟み込む場合には、押圧部材１３０を第三部分１３３の湾曲点１３３ａにおいて第二支持体１２２に向かって押しこみ、第三部分１３３の湾曲点１３３ａと第一支持体１２１の凹面との間にスペースを生成する。
【００４０】
次いで、このスペースに紙を挿入する。
【００４１】
その後、押圧部材１３０に対する押し込みを解除すると（すなわち、押圧部材１３０から手を放すと）、押圧部材１３０の弾性力により、押圧部材１３０は第一支持体１２１に向かって反発し、その結果として、押圧部材１３０と第一支持体１２１の凹面との間に紙が挟み込まれる。
【００４２】
あるいは、押圧部材１３０と第一支持体１２１の凹面との間に紙を上方から差し込むことによっても、紙を挟み込むことが可能である。
【００４３】
押圧部材１３０と第一支持体１２１の凹面との間に挟み込まれた紙は第一支持体１２１の凹面に沿って円弧状に湾曲するため、かつ、一方の側を第一支持体１２１により、他方の側を第二支持体１２２により囲まれているため、どちらの側にも折れ曲がりにくい。このため、紙が折れ曲がることにより、紙の表面の文字・図形が見えなくなることを防止することができる。
【００４４】
また、第一支持体１２１と第二支持体１２２との間にはスペースが設けられているため、比較的厚手の紙（例えば、折り畳んだ新聞紙）を挟み込むことも可能である。
【００４５】
なお、本実施形態に係るペーパースタンド１００は上記の構造に限定されるものではなく、種々の改変が可能である。
【００４６】
本実施形態に係るペーパースタンド１００においては、第一支持体１２１及び第二支持体１２２はペーパースタンド本体１１０に固定的に取り付けられているが、第一支持体１２１及び第二支持体１２２をペーパースタンド本体１１０に対して着脱自在に取り付けることも可能である。この場合、例えば、第一支持体１２１及び第二支持体１２２を一体的に形成して、第一支持体１２１及び第二支持体１２２をペーパースタンド本体１１０に対して一度に取り付け、あるいは、取り外すことも可能である。
【００４７】
また、本実施形態に係るペーパースタンド１００においては、第二支持体１２２は第一支持体１２１よりも高く形成されているが、第一支持体１２１及び第二支持体１２２の高さを同じに設定することも可能である。
【００４８】
本実施形態に係るペーパースタンド１００においては、第二支持体１２２及び第一支持体１２１は湾曲面として円弧状の面を有するものとして形成されているが、湾曲面には円弧状の面以外の曲面も含まれる。
【００４９】
また、本実施形態に係るペーパースタンド１００においては、ペーパースタンド本体１１０は立方体形状に形成されているが、ペーパースタンド本体１１０の形状は立方体には限定されない。水平な上面を有するものである限り、任意の形状、例えば、四角柱、円柱その他の柱形状とすることができる。
【００５０】
（第二の実施形態）
図３は本考案の第二の実施形態に係るペーパースタンド２００の斜視図である。
【００５１】
本実施形態に係るペーパースタンド２００は、第一の実施形態に係るペーパースタンド１００と比較して、磁石２１０を追加的に備えている。この点を除いて、本実施形態に係るペーパースタンド２００は第一の実施形態に係るペーパースタンド１００と同一の構造を有している。このため、第一の実施形態に係るペーパースタンド１００と同一の構成要素に対しては同一の参照符号を用いる。
【００５２】
磁石２１０はペーパースタンド本体１１０の側壁（ユーザーから見て後方側の側壁、すなわち、第二支持体１２２に最も近い側壁）の内部に埋め込まれている。
【００５３】
ペーパースタンド本体１１０の側壁に磁石２１０を埋め込むことにより、磁石２１０の磁力を介して、本実施形態に係るペーパースタンド２００を任意の場所（磁石２１０を取り付け可能な場所、すなわち、磁性体でできた場所）に取り付けることができ、本実施形態に係るペーパースタンド２００の利便性を向上させることができる。
【００５４】
なお、本実施形態に係るペーパースタンド２００においては、磁石２１０をペーパースタンド本体１１０の背後側の側壁に埋め込むものとしたが、磁石２１０を取り付ける位置は任意である。ペーパースタンド本体１１０の他の側壁あるいは底面に沿って埋め込むことも可能である。
【００５５】
さらに、磁石２１０をペーパースタンド本体１１０の内部に埋め込むことも必ずしも必要ではなく、磁石２１０を露出させた状態で側壁その他場所に取り付けることも可能である。
【００５６】
また、ペーパースタンド本体１１０に磁石２１０を取り付ける場合、磁石２１０と併せて、金属板２２０をペーパースタンド本体１１０の内部に埋め込むことも可能である。
【００５７】
例えば、図３に示すように、金属板２２０はペーパースタンド本体１１０の前側の側壁に沿ってペーパースタンド本体１１０の内部に埋め込む。すなわち、金属板２２０は、ペーパースタンド本体１１０の中心に関して、磁石２１０が取り付けられている側壁とは反対側の側壁に取り付けられる。
【００５８】
このように金属板２２０をペーパースタンド本体１１０の内部に埋め込むことにより、一のペーパースタンド２００の磁石２１０を他の一のペーパースタンド２００の金属板２２０に磁着させることにより、複数個のペーパースタンド２００を相互に連続させた状態で使用することが可能になる。
【００５９】
なお、金属板２２０に代えて、磁石を取り付けることも可能である。この場合には、既に取り付けられている磁石２１０と極性が反対になるように、二つ目の磁石を取り付ける。すなわち、磁石２１０のＮ極が外側を向いている場合には、二つ目の磁石はＳ極が外側を向くようにして取り付ける。
【符号の説明】
【００６０】
１００  本考案の第一の実施形態に係るペーパースタンド
１１０  ペーパースタンド本体
１１１  ペーパースタンド本体の上面
１２１  第一支持体
１２２  第二支持体
１３０  押圧部材
２００  本考案の第二の実施形態に係るペーパースタンド
２１０  磁石
２２０  金属板
【図１】
0003157495.tif 000003
【図２】
0003157495.tif 000004
【図３】
0003157495.tif 000005
【図４】
0003157495.tif 000006